(57)【要約】【課題】  携帯電話端末間において、他の媒体使用することなく、携帯電話端末に保持されているデータの共有をネットワークを介し可能とする。【解決手段】  中継サーバ３は携帯電話端末１から共有データの開示要求を受信する。中継サーバ３は携帯電話端末１，２のユーザ情報により両端末がデータ共有サービスに登録されていることを確認する。中継サーバ３は、携帯電話端末２から該当共有データをアップロードさせ、このアップロードしたデータを携帯電話端末１に適合するデータ形式に変換する。この変換後に中継サーバ３は該当データを携帯電話端末１に転送する。【選択図】      図１
2006120065.tif 000002
【特許請求の範囲】
【請求項１】
第２の携帯電話端末とのデータの共有を行う第１の携帯電話端末であって、ネットワークを通じ前記第１および第２の携帯電話端末間の共有データを転送するサーバを介して前記共有データの開示要求を前記第２の携帯電話端末に通知し、受信した該当データを自端末に出力する制御手段を備えることを特徴とする携帯電話端末。
【請求項２】
第１の携帯電話端末とのデータの共有を行う第２の携帯電話端末であって、ネットワークを通じ前記第１および第２の携帯電話端末間の共有データを転送するサーバを介して前記第１の携帯電話端末から前記共有データの開示要求を受信し、要求された共有データを前記サーバにアップロードする制御手段を備えることを特徴とする携帯電話端末。
【請求項３】
第１および第２の携帯電話端末間の共有データをネットワークを通じて転送するサーバであって、前記第１の携帯電話端末から前記共有データの開示要求を受信し、前記第１および第２の携帯電話端末のユーザ情報により両端末がデータ共有サービスに登録されていることを確認して、前記第２の携帯電話端末から該当共有データをアップロードさせ、このアップロードしたデータを前記第１の携帯電話端末に適合するデータ形式に変換する制御手段を備えることを特徴とするサーバ。
【請求項４】
請求項１記載の携帯電話端末と、請求項２記載の携帯電話端末と、請求項３記載のサーバとを有することを特徴とするデータ共有システム。
【請求項５】
第２の携帯電話端末とのデータの共有を行う第１の携帯電話端末であって、ネットワークを通じ前記第１および第２の携帯電話端末間の共有データを転送するサーバに対して前記共有データの開示要求を行う共有データ要求部と、前記第２の携帯電話端末から前記サーバを介し共有可能データの一覧を受信して記憶し該当共有データの転送を前記サーバに要求する共有データ一覧受信部とを有する中央制御部を備え、前記中央制御部は転送されてきた共有データを自端末に表示させることを特徴とする携帯電話端末。
【請求項６】
第１の携帯電話端末とのデータの共有を行う第２の携帯電話端末であって、ネットワークを通じ前記第１および第２の携帯電話端末間の共有データを転送するサーバを介して前記第１の携帯電話端末から前記共有データの開示要求を受信し共有データの一覧を作成する共有データ一覧作成部と、前記共有データ一覧作成部によって作成されたデータおよび前記第１の携帯電話端末から要求されたデータを前記サーバにアップロードする共有データアップロード部とを備えることを特徴とする携帯電話端末。
【請求項７】
第１および第２の携帯電話端末間の共有データをネットワークを通じて転送するサーバであって、前記第１の携帯電話端末から前記共有データの開示要求を受信し前記第１および第２の携帯電話端末のユーザ情報により両端末がデータ共有サービスに登録されていることを確認するユーザ管理部と、前記ユーザ管理部による確認後に前記第２の携帯電話端末に対し共有データの開示要求を行う共有データ開示要求部と、前記第２の携帯電話端末から前記第１の携帯電話端末とのデータ共有可能なリストを示す共有データ一覧を前記第１の携帯電話端末に転送する共有データ一覧受信転送部と、前記第１の携帯電話端末の要求に基づいて該当共有データのアップロードを前記第２の携帯電話端末に要求するアップロード要求部と、前記第２の携帯電話端末からアップロードされる共有データを受信する共有データ受信部と、前記共有データ受信部で受信したデータを前記第１の携帯電話端末に適合するデータ形式に変換するデータ変換部と、前記データ変換部で変換されたデータを前記第１の携帯電話端末へ転送するデータ転送部とを有する中央制御部と、前記第１および第２の携帯電話端末との信号の送受信を行うインタフェース部とを備えることを特徴とするサーバ。
【請求項８】
請求項５記載の携帯電話端末と、請求項６記載の携帯電話端末と、請求項７記載のサーバとを有することを特徴とするデータ共有システム。
【請求項９】
前記ユーザ管理部は、登録ユーザごとにデータ共有の方向を限定することを特徴とする請求項７または８記載のサーバ。
【請求項１０】
前記ユーザ管理部は、登録ユーザごとにデータ共有の可能範囲を限定することを特徴とする請求項７または８記載のサーバ。
【請求項１１】
第１および第２の携帯電話端末それぞれで保持するデータをネットワークを通じサーバを介して共有する携帯電話端末のデータ共有方法であって、前記第１の携帯電話端末から前記サーバに対し前記第２の携帯電話端末へデータ共有要求を出力するステップと、前記サーバではこのデータ共有要求を受信し前記第１および第２の携帯電話端末のユーザ情報により両端末間でデータ共有サービスが登録されていることを確認するステップと、前記データ共有サービスの登録確認後に前記第２の携帯電話端末へ共有データの開示を要求するステップと、前記第２の携帯電話端末ではこの開示要求を受信し共有可能データの一覧を作成するステップと、前記一覧作成後に該当データを前記サーバにアップロードするステップと、前記第１の携帯電話端末では前記サーバにアップロードされ転送されてきた共有データの一覧を受信するステップと、このデータ一覧の中からユーザの選択操作に基づく該当データを前記サーバに要求するステップと、この要求を前記サーバが受信し前記第２の携帯電話端末へアップロード要求を行うステップと、前記第２の携帯電話端末では前記アップロード要求に基づき該当データを前記サーバにアップロードするステップと、アップロードされたデータを前記サーバにて前記第１の携帯電話端末に適合するデータ形式に変換するステップと、この変換されたデータを前記第１の携帯電話端末へ転送するステップとを有することを特徴とする携帯電話端末のデータ共有方法。
【請求項１２】
前記サーバにて、登録ユーザごとにデータ共有の方向を限定するステップを有することを特徴とする請求項１１記載の携帯電話端末のデータ共有方法。
【請求項１３】
前記サーバにて、登録ユーザごとにデータ共有の可能範囲を限定することを特徴とする請求項１１記載の携帯電話端末のデータ共有方法。
【発明の詳細な説明】
【技術分野】
【０００１】
本発明は携帯電話端末およびサーバに関し、特に、携帯電話端末およびサーバを用いたデータ共有システムならびにデータ共有方法に関する。
【背景技術】
【０００２】
従来、携帯電話端末間においてデータのやり取りを行う場合には他の媒体（メモリカード、サーバコンピュータ、電子メールなど）を介して行っている。また、サーバコンピュータにデータを登録して、携帯電話端末からデータの取得を行う方法では、サーバ内に膨大な量のデータを格納している。したがって、サーバの構築・運用が大規模なシステムとなる。また、従来の方法ではデータを提供する側のユーザおよび携帯電話端末の手順が発生する。このような従来のデータ共有化の一例として、サーバコンピュータにデータを登録して、携帯電話端末からデータの取得を行う方法が、特許文献１に記載されている。
【０００３】
【特許文献１】特開２００３−４６６７１号公報（段落番号００２０〜００２２）
【発明の開示】
【発明が解決しようとする課題】
【０００４】
上述した従来のデータ共有方法では、携帯電話端末はクライアント・サーバモデルにおけるクライアントである。したがって、他の機器からの要求に対して自発的に応答を行える機能はない。そのため、携帯電話端末間においてデータのやり取りを行う場合には他の媒体（メモリカードやサーバコンピュータなど）を介して行う必要があり、手順的に冗長となる。また、サーバコンピュータにデータを登録して携帯電話端末からデータの取得を行う方法では、サーバ内に膨大な量のデータを格納する必要がある。これにより、サーバの構築・運用が大規模なシステムとなる。
【０００５】
一方で、携帯電話端末の機能として赤外線通信などによりデータを共有（コピー）する機能が存在する。しかし、赤外線通信などによりデータを共有（コピー）する場合、端末間の直接通信のため、端末間距離の物理的な制約がある。このため携帯電話端末であることの利点を十分に生かせていない。
【０００６】
本発明の目的は、携帯電話端末間において、上述した従来の課題である他の媒体を使用することなく、携帯電話端末に保持されているデータの共有をネットワークを介し可能とする携帯電話端末、サーバ、データ共有システムおよび携帯電話端末のデータ共有方法を提供することにある。
【０００７】
本発明の他の目的は、サーバ内に膨大な量のデータを格納する必要性を無くした携帯電話端末、サーバ、データ共有システムおよび携帯電話端末のデータ共有方法を提供することにある。
【課題を解決するための手段】
【０００８】
本発明の携帯電話端末は、第２の携帯電話端末とのデータの共有を行う第１の携帯電話端末であって、ネットワークを通じ前記第１および第２の携帯電話端末間の共有データを転送するサーバを介して前記共有データの開示要求を前記第２の携帯電話端末に通知し、受信した該当データを自端末に出力する制御手段を備える。
【０００９】
本発明の携帯電話端末は、第１の携帯電話端末とのデータの共有を行う第２の携帯電話端末であって、ネットワークを通じ前記第１および第２の携帯電話端末間の共有データを転送するサーバを介して前記第１の携帯電話端末から前記共有データの開示要求を受信し、要求された共有データを前記サーバにアップロードする制御手段を備える。
【００１０】
本発明のサーバは、第１および第２の携帯電話端末間の共有データをネットワークを通じて転送するサーバであって、前記第１の携帯電話端末から前記共有データの開示要求を受信し、前記第１および第２の携帯電話端末のユーザ情報により両端末がデータ共有サービスに登録されていることを確認して、前記第２の携帯電話端末から該当共有データをアップロードさせ、このアップロードしたデータを前記第１の携帯電話端末に適合するデータ形式に変換する制御手段を備える。
【００１１】
本発明のデータ共有システムは、データの共有を行う第１および第２の携帯電話端末と、前記第１および第２の携帯電話端末間の共有データをネットワークを通じて転送するサーバとを有し、前記第１の携帯電話端末は、ネットワークを通じ前記第１および第２の携帯電話端末間の共有データを転送するサーバを介して前記共有データの開示要求を前記第２の携帯電話端末に通知し、受信した該当データを自端末に出力する制御手段を備え、前記第２の携帯電話端末は、前記サーバを介して前記第１の携帯電話端末から前記共有データの開示要求を受信し、要求された共有データを前記サーバにアップロードする制御手段を備え、前記サーバは、前記第１の携帯電話端末から前記共有データの開示要求を受信し、前記第１および第２の携帯電話端末のユーザ情報により両端末がデータ共有サービスに登録されていることを確認して、前記第２の携帯電話端末から該当共有データをアップロードさせ、このアップロードしたデータを前記第１の携帯電話端末に適合するデータ形式に変換する制御手段を備える。
【００１２】
また、本発明の携帯電話端末は、第２の携帯電話端末とのデータの共有を行う第１の携帯電話端末であって、ネットワークを通じ前記第１および第２の携帯電話端末間の共有データを転送するサーバに対して前記共有データの開示要求を行う共有データ要求部と、前記第２の携帯電話端末から前記サーバを介し共有可能データの一覧を受信して記憶し該当共有データの転送を前記サーバに要求する共有データ一覧受信部とを有する中央制御部を備え、前記中央制御部は転送されてきた共有データを自端末に表示させる。
【００１３】
また、本発明の携帯電話端末は、第１の携帯電話端末とのデータの共有を行う第２の携帯電話端末であって、ネットワークを通じ前記第１および第２の携帯電話端末間の共有データを転送するサーバを介して前記第１の携帯電話端末から前記共有データの開示要求を受信し共有データの一覧を作成する共有データ一覧作成部と、前記共有データ一覧作成部によって作成されたデータおよび前記第１の携帯電話端末から要求されたデータを前記サーバにアップロードする共有データアップロード部とを備える。
【００１４】
また、本発明のサーバは、第１および第２の携帯電話端末間の共有データをネットワークを通じて転送するサーバであって、前記第１の携帯電話端末から前記共有データの開示要求を受信し前記第１および第２の携帯電話端末のユーザ情報により両端末がデータ共有サービスに登録されていることを確認するユーザ管理部と、前記ユーザ管理部による確認後に前記第２の携帯電話端末に対し共有データの開示要求を行う共有データ開示要求部と、前記第２の携帯電話端末から前記第１の携帯電話端末とのデータ共有可能なリストを示す共有データ一覧を前記第１の携帯電話端末に転送する共有データ一覧受信転送部と、前記第１の携帯電話端末の要求に基づいて該当共有データのアップロードを前記第２の携帯電話端末に要求するアップロード要求部と、前記第２の携帯電話端末からアップロードされる共有データを受信する共有データ受信部と、前記共有データ受信部で受信したデータを前記第１の携帯電話端末に適合するデータ形式に変換するデータ変換部と、前記データ変換部で変換されたデータを前記第１の携帯電話端末へ転送するデータ転送部とを有する中央制御部と、前記第１および第２の携帯電話端末との信号の送受信を行うインタフェース部とを備える。
【００１５】
また、本発明のデータ共有システムは、データの共有を行う第１および第２の携帯電話端末と、前記第１および第２の携帯電話端末間の共有データをネットワークを通じて転送するサーバとを有し、前記第１の携帯電話端末は、ネットワークを通じ前記第１および第２の携帯電話端末間の共有データを転送するサーバに対して前記共有データの開示要求を行う共有データ要求部と、前記第２の携帯電話端末から前記サーバを介し共有可能データの一覧を受信して記憶し該当共有データの転送を前記サーバに要求する共有データ一覧受信部とを有する中央制御部を備え、前記中央制御部は転送されてきた共有データを自端末に表示させ、前記第２の携帯電話端末は、前記サーバを介して前記第１の携帯電話端末から前記共有データの開示要求を受信し共有データの一覧を作成する共有データ一覧作成部と、前記共有データ一覧作成部によって作成されたデータおよび前記第１の携帯電話端末から要求されたデータを前記サーバにアップロードする共有データアップロード部とを備え、前記サーバは、前記第１の携帯電話端末から前記共有データの開示要求を受信し前記第１および第２の携帯電話端末のユーザ情報により両端末がデータ共有サービスに登録されていることを確認するユーザ管理部と、前記ユーザ管理部による確認後に前記第２の携帯電話端末に対し共有データの開示要求を行う共有データ開示要求部と、前記第２の携帯電話端末から前記第１の携帯電話端末とのデータ共有可能なリストを示す共有データ一覧を前記第１の携帯電話端末に転送する共有データ一覧受信転送部と、前記第１の携帯電話端末の要求に基づいて該当共有データのアップロードを前記第２の携帯電話端末に要求するアップロード要求部と、前記第２の携帯電話端末からアップロードされる共有データを受信する共有データ受信部と、前記共有データ受信部で受信したデータを前記第１の携帯電話端末に適合するデータ形式に変換するデータ変換部と、前記データ変換部で変換されたデータを前記第１の携帯電話端末へ転送するデータ転送部とを有する中央制御部と、前記第１および第２の携帯電話端末との信号の送受信を行うインタフェース部とを備える。
【００１６】
また、本発明のサーバは、第１および第２の携帯電話端末間の共有データをネットワークを通じて転送するサーバであって、前記第１の携帯電話端末から前記共有データの開示要求を受信し前記第１および第２の携帯電話端末のユーザ情報により両端末がデータ共有サービスに登録されていることを確認するユーザ管理部と、前記ユーザ管理部による確認後に前記第２の携帯電話端末に対し共有データの開示要求を行う共有データ開示要求部と、前記第２の携帯電話端末から前記第１の携帯電話端末とのデータ共有可能なリストを示す共有データ一覧を前記第１の携帯電話端末に転送する共有データ一覧受信転送部と、前記第１の携帯電話端末の要求に基づいて該当共有データのアップロードを前記第２の携帯電話端末に要求するアップロード要求部と、前記第２の携帯電話端末からアップロードされる共有データを受信する共有データ受信部と、前記共有データ受信部で受信したデータを前記第１の携帯電話端末に適合するデータ形式に変換するデータ変換部と、前記データ変換部で変換されたデータを前記第１の携帯電話端末へ転送するデータ転送部とを有する中央制御部と、前記第１および第２の携帯電話端末との信号の送受信を行うインタフェース部とを備え、前記ユーザ管理部は、登録ユーザごとにデータ共有の方向を限定する。
【００１７】
本発明のデータ共有システムは、データの共有を行う第１および第２の携帯電話端末と、前記第１および第２の携帯電話端末間の共有データをネットワークを通じて転送するサーバとを有し、前記第１の携帯電話端末は、ネットワークを通じ前記第１および第２の携帯電話端末間の共有データを転送するサーバに対して前記共有データの開示要求を行う共有データ要求部と、前記第２の携帯電話端末から前記サーバを介し共有可能データの一覧を受信して記憶し該当共有データの転送を前記サーバに要求する共有データ一覧受信部とを有する中央制御部を備え、前記中央制御部は転送されてきた共有データを自端末に表示させ、前記第２の携帯電話端末は、前記サーバを介して前記第１の携帯電話端末から前記共有データの開示要求を受信し共有データの一覧を作成する共有データ一覧作成部と、前記共有データ一覧作成部によって作成されたデータおよび前記第１の携帯電話端末から要求されたデータを前記サーバにアップロードする共有データアップロード部とを備え、前記サーバは、前記第１の携帯電話端末から前記共有データの開示要求を受信し前記第１および第２の携帯電話端末のユーザ情報により両端末がデータ共有サービスに登録されていることを確認するユーザ管理部と、前記ユーザ管理部による確認後に前記第２の携帯電話端末に対し共有データの開示要求を行う共有データ開示要求部と、前記第２の携帯電話端末から前記第１の携帯電話端末とのデータ共有可能なリストを示す共有データ一覧を前記第１の携帯電話端末に転送する共有データ一覧受信転送部と、前記第１の携帯電話端末の要求に基づいて該当共有データのアップロードを前記第２の携帯電話端末に要求するアップロード要求部と、前記第２の携帯電話端末からアップロードされる共有データを受信する共有データ受信部と、前記共有データ受信部で受信したデータを前記第１の携帯電話端末に適合するデータ形式に変換するデータ変換部と、前記データ変換部で変換されたデータを前記第１の携帯電話端末へ転送するデータ転送部とを有する中央制御部と、前記第１および第２の携帯電話端末との信号の送受信を行うインタフェース部とを備え、前記ユーザ管理部は、登録ユーザごとにデータ共有の方向を限定する。
【００１８】
また、本発明のサーバは、第１および第２の携帯電話端末間の共有データをネットワークを通じて転送するサーバであって、前記第１の携帯電話端末から前記共有データの開示要求を受信し前記第１および第２の携帯電話端末のユーザ情報により両端末がデータ共有サービスに登録されていることを確認するユーザ管理部と、前記ユーザ管理部による確認後に前記第２の携帯電話端末に対し共有データの開示要求を行う共有データ開示要求部と、前記第２の携帯電話端末から前記第１の携帯電話端末とのデータ共有可能なリストを示す共有データ一覧を前記第１の携帯電話端末に転送する共有データ一覧受信転送部と、前記第１の携帯電話端末の要求に基づいて該当共有データのアップロードを前記第２の携帯電話端末に要求するアップロード要求部と、前記第２の携帯電話端末からアップロードされる共有データを受信する共有データ受信部と、前記共有データ受信部で受信したデータを前記第１の携帯電話端末に適合するデータ形式に変換するデータ変換部と、前記データ変換部で変換されたデータを前記第１の携帯電話端末へ転送するデータ転送部とを有する中央制御部と、前記第１および第２の携帯電話端末との信号の送受信を行うインタフェース部とを備え、前記ユーザ管理部は、登録ユーザごとにデータ共有の可能範囲を限定する。
【００１９】
また本発明のデータ共有システムは、データの共有を行う第１および第２の携帯電話端末と、前記第１および第２の携帯電話端末間の共有データをネットワークを通じて転送するサーバとを有し、前記第１の携帯電話端末は、ネットワークを通じ前記第１および第２の携帯電話端末間の共有データを転送するサーバに対して前記共有データの開示要求を行う共有データ要求部と、前記第２の携帯電話端末から前記サーバを介し共有可能データの一覧を受信して記憶し該当共有データの転送を前記サーバに要求する共有データ一覧受信部とを有する中央制御部を備え、前記中央制御部は転送されてきた共有データを自端末に表示させ、前記第２の携帯電話端末は、前記サーバを介して前記第１の携帯電話端末から前記共有データの開示要求を受信し共有データの一覧を作成する共有データ一覧作成部と、前記共有データ一覧作成部によって作成されたデータおよび前記第１の携帯電話端末から要求されたデータを前記サーバにアップロードする共有データアップロード部とを備え、前記サーバは、前記第１の携帯電話端末から前記共有データの開示要求を受信し前記第１および第２の携帯電話端末のユーザ情報により両端末がデータ共有サービスに登録されていることを確認するユーザ管理部と、前記ユーザ管理部による確認後に前記第２の携帯電話端末に対し共有データの開示要求を行う共有データ開示要求部と、前記第２の携帯電話端末から前記第１の携帯電話端末とのデータ共有可能なリストを示す共有データ一覧を前記第１の携帯電話端末に転送する共有データ一覧受信転送部と、前記第１の携帯電話端末の要求に基づいて該当共有データのアップロードを前記第２の携帯電話端末に要求するアップロード要求部と、前記第２の携帯電話端末からアップロードされる共有データを受信する共有データ受信部と、前記共有データ受信部で受信したデータを前記第１の携帯電話端末に適合するデータ形式に変換するデータ変換部と、前記データ変換部で変換されたデータを前記第１の携帯電話端末へ転送するデータ転送部とを有する中央制御部と、前記第１および第２の携帯電話端末との信号の送受信を行うインタフェース部とを備え、前記ユーザ管理部は、登録ユーザごとにデータ共有の可能範囲を限定する。
【００２０】
本発明の携帯電話端末のデータ共有方法は、第１および第２の携帯電話端末それぞれで保持するデータをネットワークを通じサーバを介して共有する携帯電話端末のデータ共有方法であって、前記第１の携帯電話端末から前記サーバに対し前記第２の携帯電話端末へデータ共有要求を出力するステップと、前記サーバではこのデータ共有要求を受信し前記第１および第２の携帯電話端末のユーザ情報により両端末間でデータ共有サービスが登録されていることを確認するステップと、前記データ共有サービスの登録確認後に前記第２の携帯電話端末へ共有データの開示を要求するステップと、前記第２の携帯電話端末ではこの開示要求を受信し共有可能データの一覧を作成するステップと、前記一覧作成後に該当データを前記サーバにアップロードするステップと、前記第１の携帯電話端末では前記サーバにアップロードされ転送されてきた共有データの一覧を受信するステップと、このデータ一覧の中からユーザの選択操作に基づく該当データを前記サーバに要求するステップと、この要求を前記サーバが受信し前記第２の携帯電話端末へアップロード要求を行うステップと、前記第２の携帯電話端末では前記アップロード要求に基づき該当データを前記サーバにアップロードするステップと、アップロードされたデータを前記サーバにて前記第１の携帯電話端末に適合するデータ形式に変換するステップと、この変換されたデータを前記第１の携帯電話端末へ転送するステップとを有する。また、前記サーバにて、登録ユーザごとにデータ共有の方向を限定するステップを有する構成としてもよいし、登録ユーザごとにデータ共有の可能範囲を限定する構成としてもよい。
【００２１】
本発明によれば、携帯電話ネットワーク内に中継サーバを設け、これを介して一方の携帯電話端末のデータを他方の携帯電話端末に送信する。これにより、サービスエリア内に存在する携帯電話端末間のデータ共有を実現する。
【発明の効果】
【００２２】
本発明の効果としては、他の媒体を使用することなく、携帯電話端末間（複数人数グループ間）での端末が保持するデータの共有が行えることである。すなわち、該当する携帯電話端末が通信可能である状態であれば、時間・場所による制約無しに、容易な手順にてデータ共有ができる。その理由は、一方の携帯電話端末から、他方の携帯電話端末に保存されているデータをネットワークに設けたサーバを介し参照・取得することによる。また本システムのサーバが比較的小規模な構成で実現できる。その理由は、共有されるデータ自身はサーバに一時的に格納するだけで常時保持することなく、共有を行う携帯電話端末にしか存在しないためである。
【発明を実施するための最良の形態】
【００２３】
次に、本発明を実施するための最良の形態について図面を参照して詳細に説明する。図１は本発明のデータ共有システムの実施の形態を説明するための図である。
【００２４】
図１を参照すると、データ共有システムは、例えば発呼側の携帯電話端末１、被呼側の携帯電話端末２、中継サーバ３およびこれらを接続するための携帯電話ネットワーク４を備える。携帯電話端末１および携帯電話端末２はデータ通信機能を持ち、データ共有サービスを利用するための携帯アプリケーションが動作する携帯電話機である。携帯電話端末１は第１の端末に相当する。携帯電話端末２は第２の端末に相当する。中継サーバ３は携帯電話ネットワーク４内において本サービスを実現するためのサーバである。
【００２５】
図１において、携帯電話端末１と携帯電話端末２はそれぞれ中継サーバ３にデータ共有のサービス登録を行っているものとする。携帯電話端末１は、中継サーバ３を仲介役として携帯電話端末２にデータの開示を要求し、携帯電話端末２に保存されているデータを、携帯電話ネットワーク４および中継サーバ３を通して受け取る。
【００２６】
図２（ａ）は図１における発呼側の携帯電話端末の構成を示す図である。携帯電話端末１は、無線部１１と、中央制御部１２と、メモリ１３と、入力部１４と、表示部１５とを備える。無線部１１は無線信号の送受信を行う。また、無線部１１は、中央制御部１２に対して通話のための音声データの送受信、他のデータ、各種要求の送受信を行う。中央制御部１２はメモリ１３から読み出したプログラムに基づき端末各部の制御を行う。入力部１３は、キーのようなユーザが各種操作入力を行うためのものである。表示部１５は、液晶表示のような中央制御部１２が処理した内容を表示するためのものである。
【００２７】
中央制御部１２は、共有データ要求部１２１と、共有データ一覧受信部１２２とを備える。共有データ要求部１２１は、ネットワークを通じ携帯電話端末１，２間の共有データを転送するサーバに対して共有データの開示要求を行う。共有データ一覧受信部１２２は、携帯電話端末２から中継サーバ３と無線部１１を介し共有可能データの一覧を受信して記憶し該当共有データの転送を中継サーバ３に要求する。中央制御部１２は相手から転送されてきた共有データを自端末の表示部１５に表示させる。
【００２８】
図２（ｂ）は図１における被呼側の携帯電話端末の構成を示す図である。携帯電話端末２は、無線部２１と、中央制御部２２と、メモリ２３とを備える。無線部２１は無線信号の送受信を行う。中央制御部２２はメモリ２３から読み出したプログラムに基づき端末各部の制御を行う。
【００２９】
無線部２１は無線信号の送受信を行う。また、無線部２１は、中央制御部２２に対して通話のための音声データの送受信、他のデータ、各種要求の送受信を行う。
【００３０】
中央制御部２２は、共有データ一覧作成部２２１と、共有データアップロード部２２２とを備える。共有データ一覧作成部２２１は、中継サーバ３を介して携帯電話端末１から共有データの開示要求を受信し共有データの一覧を作成する。共有データアップロード部２２２は、共有データ一覧作成部２２１によって作成されたデータおよび携帯電話端末１から要求されたデータを中継サーバ３にアップロードする。
【００３１】
図３は図１における中継サーバの構成を示す図である。中継サーバ３は、発呼側携帯電話端末インタフェース部３１と、被呼側携帯電話端末インタフェース部３２と、中央制御部３３と、メモリ３４とを備える。発呼側携帯電話端末インタフェース部３１は、発呼側の携帯電話端末との信号の送受信を行う。被呼側携帯電話端末インタフェース部３２は、被呼側の携帯電話端末との信号の送受信を行う。中央制御部３３はメモリ３４から読み出したプログラムに基づきサーバ各部の制御を行う。中央制御部３３は、ユーザ管理部３３１と、共有データ開示要求部３３２と、共有データ一覧受信転送部３３３とを備える。さらに中央制御部３３は、アップロード要求部３３４と、共有データ受信部３３５と、データ変換部３３６と、データ転送部３３７とを備える。
【００３２】
ユーザ管理部３３１は、携帯電話端末１から共有データの開示要求を受信し携帯電話端末１，２のユーザ情報により両端末がデータ共有サービスに登録されていることを確認する。ユーザ管理部３３１はデータ共有のサービス（データの参照元およびデータの参照先）を利用できるユーザをサービス提供者において管理するための機能である。共有データ開示要求部３３２は、ユーザ管理部３３１による確認後に携帯電話端末２に対し共有データの開示要求を行う。共有データ一覧受信転送部３３３は、携帯電話端末２から携帯電話端末１とのデータ共有可能なリストを示す共有データ一覧を携帯電話端末１に転送する。
【００３３】
アップロード要求部３３４は、携帯電話端末１の要求に基づいて該当共有データのアップロードを携帯電話端末２に要求する。共有データ受信部３３５は携帯電話端末２からアップロードされる共有データを受信する。データ変換部３３６は、共有データ受信部３３５で受信したデータを携帯電話端末１に適合するデータ形式に変換する。データ変換部３３６は、携帯電話端末１、携帯電話端末２のそれぞれの端末で、データの形式が異なる場合に、データ参照先のデータをデータ参照元のデータの形式に変換するための機能である。データ形式とは、例えばアドレス情報，画像情報，動画情報などにおいて、端末固有の条件によるデータフォーマット形式のことである。データ転送部３３７はデータ変換部３３６で変換されたデータを携帯電話端末１へ転送する。
【００３４】
なお、ユーザ管理部は、登録ユーザごとにデータ共有の方向を限定する構成としてもよい。例えば、携帯電話端末１から携帯電話端末２の方向のみデータ共有を許容する。さらに、ユーザ管理部は、登録ユーザごとにデータ共有の可能範囲を限定する構成としてもよい。
【００３５】
次に、本発明を実施するための最良の形態の動作について図面を参照して説明する。図２〜図４を参照すると、まず、前提条件として、携帯電話端末１および携帯電話端末２は中継サーバ３のユーザ管理部３３１（図３）に対して登録が実施されているものとする。すなわち、ユーザ管理３３１は携帯電話端末１と携帯電話端末２との間でのデータ共有のサービスが実施可能である。また、それぞれの端末固有の情報（データ形式）を保持している。
【００３６】
なお、以下の動作説明において、携帯電話端末１および携帯電話端末２と中継サーバ３との間のデータや各種要求の送受信は、図２（ａ）の無線部１１と図３の発呼側携帯電話端末インタフェース部３１、図２（ｂ）の無線部２１と図３の被呼側携帯電話端末インタフェース部３２との間で行われる。しかしながらここでは、それら無線部やインタフェース部が介在することについて説明を省略する。
【００３７】
始めに、携帯電話端末１の共有データ要求部１２１（図２）はデータ共有サービスを利用するための携帯アプリケーションを使用する。これにより、共有したいデータを保持している携帯電話端末２の情報（電話番号など）を指定して、中継サーバ３にデータ共有要求を行う（ステップＳ１）。データ共有要求を受け取った中継サーバ３は自装置内のユーザ管理部３３１に問い合わせを行う。これによって、携帯電話端末１および携帯電話端末２にデータ共有サービスの提供を行えるかを判断する。また、各携帯電話端末の端末固有の情報（データ形式）についても認識する（ステップＳ２）。
【００３８】
データ共有サービスの提供を行えることを確認すると、中継サーバ３の共有データ開示要求部３３２は携帯電話端末２に対して、共有可能データの開示要求を行う（ステップＳ３）。この要求はショートメッセージなどの手段で行う。携帯電話端末２は、中継サーバ３からの要求を受け取った際にデータ共有サービスを利用するための携帯アプリケーションを作動させる。また、携帯電話端末２のユーザはこの動作において、特に意識することはない。携帯電話端末２の共有データ一覧作成部２２１は、共有可能データの開示要求を受信すると、自端末内の共有可能データ一覧を作成し、中継サーバ３に送信する（ステップＳ４）。中継サーバ３の共有データ一覧受信転送部３３３は、携帯電話端末２から共有可能データ一覧を受け取る。そして携帯電話端末１からのデータ共有要求の応答として、携帯電話端末２からの共有可能データ一覧を転送する（ステップＳ５）。携帯電話端末１の共有データ一覧受信部１２２はこのデータを受信し記憶する。
【００３９】
上記の動作によって、共有データ一覧受信部１２２に記憶された携帯電話端末２の共有可能データ一覧が表示部１５に表示される。次に、携帯電話端末１の入力部１４からのユーザ操作によって共有したいデータが共有可能データ一覧より選択されると、共有データ一覧受信部１２２が、選択された共有すべきデータ要求を行い、中継サーバ３にデータの取得要求が行われる（ステップＳ６）。すなわち、共有データ一覧受信転送部３３３が携帯電話端末１からのデータの取得要求を受信する。このデータの取得要求を受信後、中継サーバ３のアップロード要求部３３４は携帯電話端末２に対して、該当データのアップロード要求を行う（ステップＳ７）。携帯電話端末２の共有データアップロード部２２２はこのアップロード要求を受信すると、該当データを中継サーバ３にアップロードする（ステップＳ８）。中継サーバ３の共有データ受信部３３５はこのアップロードされたデータを受信する。中継サーバ３は携帯電話端末２からアップロードされたデータに対し、必要があればデータ変換部３３６機能を用い、携帯電話端末１のデータ形式に変換する（ステップＳ９）。中継サーバ３のデータ転送部３３７は、携帯電話端末１からのデータの取得要求の応答として、携帯電話端末２からアップロードされたデータを転送する（ステップＳ１０）。データの転送が正常に行われた場合、共有データ受信部３３５に格納されたデータは、消去される。
【００４０】
携帯電話端末１のユーザが他にも携帯電話端末２からのデータを要求する場合には、ステップＳ６〜ステップＳ１０を繰り返し実施する（ステップＳ１１）。これにより携帯電話端末１のユーザは、上記動作によって取得した携帯電話端末２のデータを利用できる（ステップＳ１２）。
【００４１】
なお、図４において携帯電話端末間で共有するデータがあらかじめ決まっている場合、携帯電話端末１から携帯電話端末２への共有可能データ一覧の送受信を行うステップ（ステップＳ３からステップＳ６）は省略してもよい。これにより手順を簡略化できる。
【００４２】
また、中継サーバ３のユーザ管理部３３１に、データ共有の方向の限定、要求するユーザごとにデータ共有可能範囲の限定などの機能を持たせることができる。このことによって、より決めの細かいデータ共有サービスを提供することができ、プライバシー情報のコントロール機能を具備できる。
【００４３】
以上のように本発明の実施の形態において、第２の携帯電話端末２とのデータの共有を行う第１の携帯電話端末１は、ネットワークを通じ第１および第２の携帯電話端末１，２間の共有データを転送する中継サーバ３を介して共有データの開示要求を第２の携帯電話端末２に通知し、受信した該当データを自端末に出力する制御手段（中央制御部１２）を備えることを特徴とする。また、第２の携帯電話端末２は、ネットワークを通じ第１および第２の携帯電話端末１，２間の共有データを転送する中継サーバ３を介して第１の携帯電話端末１から共有データの開示要求を受信し、要求された共有データを中継サーバ３にアップロードする制御手段（中央制御部２２）を備えることを特徴とする。
【００４４】
これにより、本実施の形態では、他の媒体を使用することなく、携帯電話端末間（複数人数グループ間）での端末が保持するデータの共有が行える。すなわち、該当する携帯電話端末が通信可能である状態であれば、時間・場所による制約無しに、容易な手順にてデータ共有ができる、という効果が得られる。
【００４５】
また、共有されるデータ自身は、中継サーバ３の共有データ受信部３３５に一時的に格納されるだけであり、共有を行う携帯電話端末に存在するデータを中継サーバ３が経由するだけであるから、サーバに膨大な量のデータを格納する必要が無い。
【００４６】
また、第１の携帯電話端末１の中央制御部１２２では、具体的には、共有データの開示要求を行う共有データ要求部１２１と、開示要求した後、第２の携帯電話端末２から中継サーバ３を介し共有可能データの一覧を受信し該当共有データの転送を中継サーバ３に要求する共有データ一覧受信部１２２を有する。これにより、第１の携帯電話端末１は、メモリカード等の他の媒体を用いることなく、ネットワークを介し第２の携帯電話端末２から所望の共有可能データを入手することができる。
【００４７】
また、第２の携帯電話端末２は、具体的には、ネットワークを通じ第１および第２の携帯電話端末１，２間の共有データを転送する中継サーバ３を介して第１の携帯電話端末１から共有データの開示要求を受信し共有データの一覧を作成する共有データ一覧作成部２２１と、共有データ一覧作成部２２１によって作成されたデータおよび第１の携帯電話端末１から要求されたデータを中継サーバ３にアップロードする共有データアップロード部２２２とを備える。これにより、第２の携帯電話端末２は、メモリカード等の他の媒体を用いることなく、第１の携帯電話端末１に対し共有可能データを提供することができる。
【００４８】
また、本発明の実施の形態の中継サーバ３では、第１の携帯電話端末１から要求された共有データを第２の携帯電話端末２より受信し、その共有データを一時的に保持するのみで第１の携帯電話端末１へ転送する。これにより、第１および第２の携帯電話端末１，２間の共有データを常時保有する必要はなく、中継サーバ３におけるメモリ量を大幅に削減することができるという効果が得られる。
【図面の簡単な説明】
【００４９】
【図１】本発明のデータ共有システムの実施の形態を説明するための図である。
【図２】（ａ）は図１における発呼側の携帯電話端末の構成を示す図である。（ｂ）は図１における被呼側の携帯電話端末の構成を示す図である。
【図３】図１における中継サーバの構成を示す図である。
【図４】図１における携帯電話端末間のデータ共有処理の流れを示すシーケンスである。
【符号の説明】
【００５０】
１，２    携帯電話端末
３    中継サーバ
４    携帯電話ネットワーク
１１，２１    無線部
１２，２２，３３    中央制御部
１３，２３，３４    メモリ
１４    入力部
１５    表示部
３１    発呼側携帯電話端末インタフェース部
３２    被呼側携帯電話端末インタフェース部
１２１    共有データ要求部
１２２    共有データ一覧受信部
２２１    共有データ一覧作成部
２２２    共有データアップロード部
３３１    ユーザ管理部
３３２    共有データ開示要求部
３３３    共有データ一覧受信転送部
３３４    アップロード要求部
３３５    共有データ受信部
３３６    データ変換部
３３７    データ転送部
【図１】
2006120065.tif 000003
【図２】
2006120065.tif 000004
【図３】
2006120065.tif 000005
【図４】
2006120065.tif 000006